(57)【特許請求の範囲】
【請求項１】
記録媒体をケース本体に着脱自在に収容させる記録媒体収容孔を有し、該記録媒体収容孔の開口を覆うカバーをヒンジによって前記ケース本体に開閉自在に配設し、前記カバーを閉成状態にロックするロック機構を備えるとともに、前記カバーを閉成状態に位置決めする位置決め機構を前記ロック機構とは独立して備えた記録装置であって、
前記位置決め機構は、前記カバーを付勢するばねを備え、かつ該ばねを前記カバーの閉成状態から開成状態までの移動の途中までは、前記カバーが閉成状態になるような付勢力が作用し、それ以降は前記カバーが開成状態になるような付勢力が作用するように配設したことを特徴とする記録装置。
【請求項２】
前記位置決め機構は、前記ケース本体に固定された板バネであって、凹部が形成された板バネと、前記カバーに形成された突起とによって構成され、前記突起と、前記凹部とが係合することにより、前記カバーを閉成状態に位置決めすることを特徴とする請求項１に記載の記録装置。
【請求項３】
前記カバーの開成用指掛かり突起を前記ロック機構のロック解除ボタンに併設させたことを特徴とする請求項１または２に記載の記録装置。
【発明の詳細な説明】
【０００１】
【発明の属する技術分野】
本発明は記録装置に係り、特に記録媒体を着脱自在に収容する電子カメラ等の記録装置に関する。
【０００２】
【従来の技術】
例えば、電子カメラのように、記録媒体を交換したり、記録媒体のみを持ち運んだりするカメラでは、記録媒体をケース本体に着脱自在に収容する構造が採用されている。このようなカメラでは、板状の記録媒体が使用され、該記録媒体はケース本体の裏面，側面等に形成されたスリット状の記録媒体収容孔に収容される。そして、記録媒体は記録媒体収容孔に収容された状態で、ケース本体内の電子処理手段に接続される。
【０００３】
このようなカメラでは、記録媒体収容孔に外部から塵埃等が侵入しないように、カバーが取り付けられている。このカバーはケース本体にヒンジによって開閉自在に取り付けられたり、スライド自在に取り付けられたりしている。
【０００４】
【発明が解決しようとする課題】
ところで、このようなカメラでは、操作性を良くするために、カバーを開成するのに連動させて記録媒体が記録媒体収容孔から突出させるような構成を採用しているものが多い。このようなカメラでは、記録書き込み中に誤ってカバーを開成した場合には、記録内容が中断して不完全記録になったり、記録が破壊される虞がある。
【０００５】
本発明は、上記従来の問題点に鑑みてなされたもので、その目的とするところは、誤ってカバーを開成する虞がなく、しかも簡単な構造の記録装置を提供することにある。
【０００６】
【課題を解決するための手段】
上記目的を達成するために、請求項１に係る記録装置は、記録媒体をケース本体に着脱自在に収容させる記録媒体収容孔を有し、該記録媒体収容孔の開口を覆うカバーをヒンジによって前記ケース本体に開閉自在に配設したカメラであって、前記カバーを閉成状態にロックするロック機構を備えるとともに、前記カバーを閉成状態に位置決めする位置決め機構を前記ロック機構とは独立して備えた記録装置であって、前記位置決め機構は、前記カバーを付勢するばねを備え、かつ該ばねを前記カバーの閉成状態から開成状態までの移動の途中までは、前記カバーが閉成状態になるような付勢力が作用し、それ以降は前記カバーが開成状態になるような付勢力が作用するように配設したことを特徴としている。
【０００７】
この発明の記録装置によれば、カバーのロック機構を解除しただけでは、カバーは位置決め機構によって閉成状態が維持され、さらに手等によるカバーを開成する方向の外力が加わった場合に初めて開成される。
【０００８】
ロック機構は、カバーに働く外力によってはカバーが開成されることはなく、ボタン等を操作することによって初めてカバーが開成可能になる機構であり、また位置決め機構はカバーの開成方向に作用する多少の外力に対してはそれに抗してカバーをその位置に留め、それ以上の外力がカバーの開成方向に加わった場合に、カバーが開成される機構である。また、この発明の記録装置では、１つのばねによってカバーの閉成状態と全開状態との位置決めを図ることができる。即ち、カバーが閉成状態から開成する場合および全開状態から閉成する場合のいずれにおいても、ばねの付勢力に抗して移動させなければならない構成なので、カバーは閉成状態および全開状態で安定する。ばねは、板ばね、コイルばねなどが挙げられる。
【０００９】
また、請求項２に係る記録装置では、請求項１の発明において、前記位置決め機構は、前記ケース本体に固定された板バネであって、凹部が形成された板バネと、前記カバーに形成された突起とによって構成され、前記突起と、前記凹部とが係合することにより、前記カバーを閉成状態に位置決めすることを特徴としている。
【００１１】
また、請求項３に係る記録装置では、請求項１または２の発明において、前記カバーの開成用指掛かり突起を前記ロック機構のロック解除ボタンに併設させたことを特徴としている。
【００１２】
この発明の記録装置では、ロック解除ボタンを操作した後、直ちにカバー開成用指掛かり突起を操作することができる。また、カバー開成用突起は、ロック解除ボタンが他のものに引っかかり、それによって不用意に操作されてしまうのも防止する。
【００１３】
【発明の実施の形態】
図１および図２は本発明に係る記録装置としての電子カメラの要部を示したもので、図１は記録媒体収容孔の開口を開閉自在に覆うカバーの開成状態を示し、図２は該カバーの閉成状態を示している。また、図３はカバーの位置決め機構の動作を説明するための図であり、図４はカバーのロック機構を概念的に示した断面斜視図である。
【００１４】
このカメラは、図１に示したように、ケース本体１の裏面に記録媒体Ａを収容する記録媒体収容孔２を有している。また、ケース本体１の裏面には、下辺がヒンジ３等によって開閉自在に支持され、閉成状態で記録媒体収容孔２を覆うようにカバー４が配設されている。そして、ケース本体１とカバー４との間には、カバー４を開成状態および閉成状態に位置決めする位置決め機構１０と、カバー４を閉成状態にロックするロック機構２０が配設されている。
【００１５】
上記位置決め機構１０は、ケース本体１に固定した板ばね１１とカバー４に形成した突起１２とによって構成され、板ばね１１がカバー４の閉成状態（図２の状態）から開成状態（図１の状態）までの全移動域で突起１２に常時接触するように配設され、かつ図３に示したように、その突起１２の移動域において、突起１２の移動の途中に板ばね１１の最大付勢力が突起に作用するように配置されている。
【００１６】
この位置決め機構１０によれば、カバー４が閉成状態から開成する場合および全開状態から閉成する場合のいずれにおいても、ばね１１の付勢力に抗して移動させなければならないため、カバー４は閉成状態および全開状態の２箇所で安定して維持される。
【００１７】
また、ケース本体１には、カバー４に対向する面に凹部５が形成されている。そして、図４に示したように、凹部５の側壁には、軸２１によって爪２２が揺動自在に支持されている。また、この爪２２には取付部２３を介してロック解除ボタン２４が取り付けられており、該ボタン２４はケース本体１の側外面に配置されている。また、凹部５の奥壁には板ばね２５の一端部が固定され、他端部は爪２２の下面に当接されている。
【００１８】
一方、カバー４には突起２６が形成され、該突起と上記爪２２等によってロック機構２０が構成されている。
【００１９】
このロック機構２０では、板ばね２５によって、爪２２が上方へ付勢され、図４に示した状態に位置される。この状態でカバー４を閉成させると、カバー４の突起２６が爪２２の先端に当接し、爪２２を板ばね２５の付勢力に抗して下方へ移動させ、終には突起２６が爪２２の切欠き２２ａに係合する。
【００２０】
この状態において、カバー４を開成しようとしても、突起２６が爪２２の切欠き２２ａに拘束されているため、カバー４を開成することはできない。
【００２１】
カバー４を開成する場合には、ロック解除ボタン２４を操作して下方に移動させ、それに伴って爪２２を下方に揺動させる。すると、突起２６は爪２２の切欠き２２ａから開放されるので、カバー４の開成が可能になる。
【００２２】
さらに、このカメラでは、カバー４の側外面に突起６が形成され、この突起６は図２に示したように、カバー４を閉成した状態で、ロック解除ボタン２４に並ぶように位置されている。
【００２３】
このカメラでは、図２に示したカバー４の閉成状態からカバー４を開成するには、先ず、指でロック解除ボタン２４を下方に操作し、ロック機構２０を解除する。この状態では、カバー４はロックが解除されているが、位置決め機構１０によって、閉成状態が保たれる。続いて、カバー４の突起６を図２において水平方向（矢視方向）へ押し出す。すると、カバー４は板ばね１１の付勢力に抗して、図１に示したように開成される。
【００２４】
このようなカバー４の開成状態で、記録媒体収容孔２に記録媒体Ａを装填し、または記録媒体収容孔２から記録媒体Ａを取り出す。
【００２５】
また、このカメラでは、ケース本体１の裏面に、ＬＥＤ等の表示手段が設けられている。この表示手段は、例えば記録媒体Ａが記録媒体収容孔２に装填されていることを表示したり、記録中であることを表示したりする。また、その他、カバー４が開いている場合には、音または光等による警報手段を設けてもよい。
【００２６】
図５は本発明に係るカバーのロック機構の他の実施の形態を示す要部斜視図である。
【００２７】
図１に示したロック機構２０は、ロック用の爪２２及びロック解除ボタン２４がケース本体１側に設けられているが、図５に示す実施の形態のものは、ロック用の爪３０及びロック解除ボタン３２がカバー４側に設けられている点で相違している。
【００２８】
上記爪３０は、図５上で上方向にばね付勢されており、その上面がテーパー状に形成され、カバー４の全閉時にケース本体側のフック部（図示せず）と係合できるようになっている。
【００２９】
カバー４が全閉されてロック状態にあるときに、右手の親指によりロック解除ボタン３２を下方にスライドさせて爪３０の係合を外し、更にカバー４に設けられた開成用指掛かり突起６に親指の側面を当てて手前に引くことによりカバー４を開放させることができる。
【００３０】
なお、上記した位置決め機構およびロック機構は一例を示したもので、それらの機構は上記実施の形態に限定されるものではない。
【００３１】
また、本発明は電子カメラに限らず、着脱自在な記録媒体に情報を記録する記録装置であれば、如何なるものにも適用できる。
【００３２】
【発明の効果】
以上説明したように請求項１に係る記録装置では、前記記録媒体収容孔の開口を開閉自在に覆うカバーが、該カバーを閉成状態にロックするロック機構とは独立させてカバーを閉成状態に位置決めする位置決め機構を備えているので、ロック機構を解除しただけでは、カバーは開成されることなく位置決め機構によって閉成状態に維持される。
【００３３】
したがって、誤ってロック機構が解除されても、カバーは直ちに開成することがなく、手等による開成操作によって初めて開成されるので、誤ってカバーが開成されることによる記録媒体記録書き込み中における記録内容の中断等を防止することができる。
【００３４】
また、請求項２に係る記録装置によれば、１つのばねによってカバーの閉成状態と全開状態との位置決めを図ることができ、カバーは閉成状態および全開状態で安定する。
【００３５】
したがって、位置決め機構が単純になり、ケース本体にコンパクトに収めることができる。
【００３６】
また、請求項３に係る記録装置によれば、ロック解除ボタンを操作した後、直ちにカバー開成用指掛かり突起を操作することができるので、カバーの開成操作が容易になり、しかも、カバー開成用突起によって、ロック解除ボタンの周辺に壁が形成されるので、ロック解除ボタンに他のものが引っ掛かるのを避けることができ、ロック解除ボタンが不用意に操作されてしまうのも防止される。
【図面の簡単な説明】
【図１】本発明に係る記録媒体収容孔の開口を開閉自在に覆うカバーの開成状態を示した電子カメラの要部斜視図である。
【図２】本発明に係る記録媒体収容孔の開口を開閉自在に覆うカバーの閉成状態を示した電子カメラの要部斜視図である。
【図３】本発明に係る記録装置におけるカバーの位置決め機構の動作を説明するための図である。
【図４】本発明に係る記録装置におけるカバーのロック機構を示した断面斜視図である。
【図５】本発明に係るカバーのロック機構の他の実施の形態を示す要部斜視図である。
【符号の説明】
１…ケース本体、２…記録媒体収容孔、３…ヒンジ、４…カバー、５…凹部、６…開成用指掛かり突起、７…表示手段、１０…位置決め機構、１１…板ばね、１２…突起、２０…ロック機構、２１…軸、２２、３０…爪、２２ａ…切欠き、２４、３２…ロック解除ボタン、２５…板ばね、２６…突起、Ａ…記録媒体
【図１】
0004003168.tif 000002
【図２】
0004003168.tif 000003
【図３】
0004003168.tif 000004
【図４】
0004003168.tif 000005
【図５】
0004003168.tif 000006